(57)【特許請求の範囲】
【請求項１】
柔軟性を有し、人体の一部に沿って弾性的に湾曲変形可能な本体と、
その本体内に前記湾曲変形可能な方向に沿って埋設され、前記本体の湾曲変形を許容するように湾曲変形可能な柔軟なシート状の基板と、
その基板内に所定の間隔で前記本体及び基板の湾曲変形を許容するように複数配設され、かつそれらの配設位置に対応して前記本体に形成された複数の開口から又は該本体自体の透光性を有する部位から外方へレーザ発光可能とされたレーザダイオードと、
それら複数のレーザダイオードが所定出力のレーザ光を発光するように、該複数のレーザ光に電力を供給する配線とを含み、
前記本体は長手ブロック状をなし、その長手方向に前記基板を介して前記レーザダイオードの単体又はレーザダイオードの１組が所定の間隔で配置されるとともに、少なくとも前記本体の長手方向に沿ってその本体が弾性的に湾曲変形可能とされ、
前記本体を必要に応じて人体の一部に密着又はごく近接するように湾曲変形させた状態で、複数の前記レーザダイオードからレーザ光を出力して人体の一部に照射することを特徴とするレーザ痩身装置。
【請求項２】
柔軟性を有し、人体の一部に沿って弾性的に湾曲変形可能な本体と、
その本体内に前記湾曲変形可能な方向に沿って所定の間隔で複数埋設され、かつそれら複数の隣り合うもの同士が柔軟性のある連結配線で連結されて、前記本体の湾曲変形を許容する複数の基板と、
それらの各基板上に前記本体の湾曲変形を許容するようにそれぞれ配設され、かつそれらの配設位置に対応して前記本体に形成された複数の開口から又は該本体自体の透光性を有する部位から外方へレーザ発光可能とされたレーザダイオードと、
それら複数のレーザダイオードが所定出力のレーザ光を発光するように、該複数のレーザ光に電力を供給する配線とを含み、
前記本体は長手ブロック状をなし、その長手方向に前記基板を介して前記レーザダイオードの単体又はレーザダイオードの１組が所定の間隔で配置されるとともに、少なくとも前記本体の長手方向に沿ってその本体が弾性的に湾曲変形可能とされ、
前記本体を必要に応じて人体の一部に密着又はごく近接するように湾曲変形させた状態で、複数の前記レーザダイオードからレーザ光を出力して人体の一部に照射することを特徴とするレーザ痩身装置。
【請求項３】
前記レーザダイオードから発光されるレーザ光の強さや発光時間などの照射条件を設定する設定部と、
その設定部で設定された照射条件に従い前記レーザ光の照射パターンを制御する制御部とを含む請求項１又は２に記載のレーザ痩身装置。
【請求項４】
前記設定部及び制御部がケーシングに収容され、そのケーシングには前記設定部における入力手段を構成する操作パネルと、その入力手段により入力された前記照射条件を表示する表示部とが形成され、またそのケーシングから前記配線としてのケーブルが前記本体側に延びてその本体に導かれ、そのケーブルによる配線が前記本体内の複数の前記レーザダイオードに前記基板を介して接続されることにより、前記本体の湾曲変形が許容される請求項１ないし３のいずれか１項に記載のレーザ痩身装置。
【請求項５】
前記操作パネルと前記表示部とが、両者を兼用するタッチパネルで構成された請求項４に記載のレーザ痩身装置。
【請求項６】
前記複数のレーザダイオードの単体又は１組は、それぞれ個々の金属製の放熱板に周囲を取り囲まれるように近接配置され、それにより前記レーザダイオードの駆動で生じた熱がそのレーザダイオードから前記放熱板を介して外部へ逃がされるようになっている請求項１ないし５のいずれか１項に記載のレーザ痩身装置。
【請求項７】
前記本体内に、前記金属製の放熱板が所定の隙間を隔てて複数配置され、それら放熱板のそれぞれに対応して前記レーザダイオードの単体又は１組が前記基板を介して近接配置され、それら放熱板の隣り合うもの同士の隙間により、前記本体の湾曲変形を許容しつつ、各レーザダイオードで発生する熱が前記放熱板から外部に放熱される請求項６に記載のレーザ痩身装置。
【請求項８】
個々の前記放熱板に形成された装着孔又は装着凹部に前記レーザダイオードの単体又は１組が挿入されている請求項６又は７に記載のレーザ痩身装置。
【発明の詳細な説明】
【技術分野】
【０００１】
本発明は、レーザ光を身体に当てて脂肪を減少させるレーザ痩身装置に関する。
【背景技術】
【０００２】
従来、特許文献１に開示されているように、レーザ光を身体に当て皮下脂肪を低減するレーザ式脂肪分解システムが知られている。このシステムは、レーザ光源からのレーザ光を光ファイバーによって回転式の多面体ミラーに導き、そのレーザ光を回転する多面体ミラーで広角的に反射させて、人体の一部の部位（例えば腹部）に向かって照射し、それにより例えば下腹部の脂肪を低減して痩身効果を出そうとするものである。
【特許文献１】特開２００２−２７２８６０号公報
【発明の開示】
【発明が解決しようとする課題】
【０００３】
しかしながら上記従来のレーザ式脂肪分解システムは、レーザ光を身体の腹部等に面状に照射するために、光ファイバーからの点状のレーザ光を、回転する多面体ミラーで広角的に反射して腹部等に当てるものであることから、レーザ光源、光ファイバー、多面体ミラー、それの回転装置、多面体ミラー及び回転装置を支持するカバー等、多くの構成要素が必要で、装置が高価で大型化することを避け得ない。また利用者の腹部等を跨ぐようにカバーが設置され、利用者はカバーに設置された多面体ミラーとの位置関係をずらさないように人体を静止させ、その静止状態を相当の時間強いられる欠点がある。
【０００４】
本発明の課題は、装置が大型化せず安価に構成でき、また人体の静止状態も強制されず、しかもレーザ光が人体に直接的かつ効率良く照射され得るレーザ痩身装置を提供することにある。
【課題を解決するための手段及び発明の効果】
【０００５】
本発明は、柔軟性を有し、人体の一部に沿って弾性的に湾曲変形可能な本体と、
その本体内に前記湾曲変形可能な方向に沿って埋設され、前記本体の湾曲変形を許容するように湾曲変形可能な柔軟なシート状の基板と、
その基板内に所定の間隔で前記本体及び基板の湾曲変形を許容するように複数配設され、かつそれらの配設位置に対応して前記本体に形成された複数の開口から又は該本体自体の透光性を有する部位から外方へレーザ発光可能とされたレーザダイオードと、
それら複数のレーザダイオードが所定出力のレーザ光を発光するように、該複数のレーザ光に電力を供給する配線とを含み、
前記本体を必要に応じて人体の一部に密着又はごく近接するように湾曲変形させた状態で、複数の前記レーザダイオードからレーザ光を出力して人体の一部に照射することを前提とする。
【０００６】
また、本発明は、柔軟性を有し、人体の一部に沿って弾性的に湾曲変形可能な本体と、
その本体内に前記湾曲変形可能な方向に沿って所定の間隔で複数埋設され、かつそれら複数の隣り合うもの同士が柔軟性のある連結配線で連結されて、前記本体の湾曲変形を許容する複数の基板と、
それらの各基板上に前記本体の湾曲変形を許容するようにそれぞれ配設され、かつそれらの配設位置に対応して前記本体に形成された複数の開口から又は該本体自体の透光性を有する部位から外方へレーザ発光可能とされたレーザダイオードと、
それら複数のレーザダイオードが所定出力のレーザ光を発光するように、該複数のレーザ光に電力を供給する配線とを含み、
前記本体を必要に応じて人体の一部に密着又はごく近接するように湾曲変形させた状態で、複数の前記レーザダイオードからレーザ光を出力して人体の一部に照射することを前提とする。
【０００７】
以上のように構成することにより、従来のような大掛かりな装置、多数の構成部材を必要とせずに、レーザ光を人体の所定部位に照射することができ、その結果、コンパクトでシンプルなレーザ痩身装置を提供することができる。またレーザ光がレーザダイオードで発生して直接的に人体に照射されるから照射効率も高い。しかも、複数のレーザダイオードが柔軟性を有する本体に、基板を介して埋設されているため、本体を人体の所定部位（例えば腹部）に沿って湾曲変形させ、複数のレーザダイオードのすべてをその所定部位にごく近接させて、ほぼ等距離からレーザ照射することが容易となる。この湾曲効果により上記本体の人体に対する投影面積において、本体が平面的な剛体である場合と異なり、レーザ光の照射パターンが人体に対しより均一なものとなり、レーザ光による脂肪減少作用が均等かつより効率的に生じやすくなる。
【０００８】
また本発明は、前記レーザダイオードから発光されるレーザ光の強さや発光時間などの照射条件を設定する設定部と、
その設定部で設定された照射条件に従い前記レーザ光の照射パターンを制御する制御部とを含み、これにより人体の皮下脂肪の蓄積の程度や、求められる痩身効果等に応じて好適な照射パターンを設定し、その条件に適合するようにレーザ光の出力を制御することが可能となる。
【０００９】
また本発明は、前記本体が長手ブロック状をなし、その長手方向に前記基板を介して前記レーザダイオードの単体又はレーザダイオードの１組が所定の間隔で配置されるとともに、少なくとも前記本体の長手方向に沿ってその本体が弾性的に湾曲変形可能とされる。
【００１０】
これにより、例えば人体の腹部に本体を当ててレーザ照射をする場合、長手状の本体を腹部の胴回り方向に合わせて、その長手方向に沿って湾曲させ、胴部又はその一部に巻き付けるようにしてレーザ光を照射できる。したがって、剛体から成る短尺の本体（レーザ照射ヘッド）を、一定時間ごとに人体に対し位置をずらせてレーザ照射する場合に比べて、１回又はより少ない回数で広範囲にレーザ照射が可能となり、全体としての照射時間が短くなり照射効率が向上する。また、複数の剛体の短尺本体を同時に人体に当ててレーザ照射する場合に比べて、１個又はより少ない個数の本体でレーザ照射ができ、照射行為をより楽に行うことが可能となる。
【００１１】
さらに本発明は、前記設定部及び制御部がケーシングに収容され、そのケーシングには前記設定部における入力手段を構成する操作パネルと、その入力手段により入力された前記照射条件を表示する表示部とが形成され、またそのケーシングから前記配線としてのケーブルが前記本体側に延びてその本体に導かれ、その配線が前記本体内の複数の前記レーザダイオードに基板を介して接続されることにより、前記本体の湾曲変形が許容される。
この際、前記操作パネルと前記表示部とが、両者を兼用するタッチパネルで構成されるようにできる。
【００１２】
このようにすれば、操作パネルにより所望の照射条件を入力し、表示部でそれを確認することにより、人体に対する実際のレーザ照射のパターンが予期しないものになるといった過誤が生じにくくなる。また画面上でのタッチパネル方式を採用すれば、操作がしやすく装置のコンパクト化も実現する。
【００１３】
また本発明では、前記複数のレーザダイオードの単体又は１組が、それぞれ個々の金属製の放熱板に周囲を取り囲まれるように近接配置され、それにより前記レーザダイオードの駆動で生じた熱がそのレーザダイオードから前記放熱板を介して外部へ逃がされる。
【００１４】
この場合、前記本体内に、前記金属製の放熱板が所定の隙間を隔てて複数配置され、それら放熱板のそれぞれに対応して前記レーザダイオードの単体又は１組が前記基板を介して対応するように近接配置され、それら放熱板の隣り合うもの同士の隙間により、前記本体の湾曲変形を許容しつつ、各レーザダイオードで発生する熱が前記放熱板から外部に放熱されるようにすることができる。
【００１５】
また、そこで個々の前記放熱板に形成された装着孔又は装着凹部に前記レーザダイオードの単体又は１組が挿入されるようにすることができる。
【００１６】
上記のように放熱板に近接してレーザダイオードが配列されること、例えばレーザダイオードが放熱板に取り囲まれるように、好適には放熱板に形成された装着孔又は装着凹部に配置されることにより、レーザダイオードの駆動（発光）により発生する熱がその放熱板に伝わり、各放熱板を介して外部に逃がされることから、レーザダイオードの過熱が回避される。その結果、レーザダイオードの適正な作動が担保されるとともに、耐久性が向上してその寿命が伸び、また熱に伴う安全面の向上にもつながる。
【発明を実施するための最良の形態】
【００１７】
以下、本発明の実施例を図面に基づいて説明する。
【００１８】
図１は本発明のレーザ痩身装置１の全体を概略的に示すもので、制御ボックス２と、それに配線としてのケーブル３，４により接続されたそれぞれ本体としてのレーザ照射ヘッド、具体的にはケーブル４に接続された長尺レーザヘッド５及びケーブル３から並列に２分岐した分岐ケーブルに接続された中尺レーザヘッド６，６とを備えている。長尺レーザヘッド５はその長手方向に所定の間隔で複数Ｎ個のレーザダイオード（以下、レーザＬＥＤという）を備え、中尺レーザヘッド６はその長手方向の寸法が長尺レーザヘッド５の例えば半分であり、その長手方向に所定の間隔で複数Ｎ／２個のレーザＬＥＤを備え、それぞれのレーザヘッド５及び６は、いずれも長手方向に沿って弾性的に湾曲変形可能とされる柔軟性を有している。なお、制御ボックス２にはケーブル７及びそこから並列に分岐した分岐ケーブルを介して複数の短尺レーザヘッド８が接続され、各短尺レーザヘッド８は例えば１個のレーザＬＥＤをそれぞれ有するものである。
【００１９】
長尺レーザヘッド５と中尺レーザヘッド６の基本構成は同じであり、具備するレーザＬＥＤの配列数が異なるだけであるので、以下では主に中尺レーザヘッド６（以下、単にレーザヘッドとも言う）を例にとり、その構造を説明する。
【００２０】
図２ないし図３において、本体としてのレーザヘッド６は、長手の矩形ブロック状のケース１２を備え、このケース１２は、例えば軟質で柔軟性を有するシリコンあるいはウレタン（軟質ゴム又は軟質樹脂）で構成され、そのケース１２内部には、長手板（シート）状の基板２０を介して長手方向に等間隔で複数のレーザＬＥＤ１０が埋設され、各レーザＬＥＤ１０は、そのケース１２における各レーザＬＥＤ１０に対応する位置に形成された複数の開口１１から外部に露出している。レーザＬＥＤ１０は電圧が印加されることにより単一波長のレーザ光を出力する公知のダイオードであり、その波長は例えば５００ｎｍ〜７００ｎｍ、なかでも６３０ｎｍ前後のものが好適に用いられる。
【００２１】
長手板状の基板２０は、少なくとも自身の長手方向に湾曲変形可能な、電気的絶縁性を有する素材からなり、この長手板状の基板２０の長手方向に所定間隔で上記レーザＬＥＤ１０が配設されている。基板２０のレーザＬＥＤ１０が実装される表面又はその反対側の裏面には、各レーザＬＥＤ１０に電流を供給する配線が、例えば周知のプリント配線として形成され、それらの配線に各レーザＬＥＤ１０の２極又は３極の端子線が、ハンダ付その他適宜の方法で接続される。
【００２２】
レーザＬＥＤ１０はケース１２内の基板２０上に１個ずつ（又は複数個１組で（例えば２個とか３個とか４個とかが１組で））等間隔に埋設されているが、各レーザＬＥＤ１０は、金属製（例えばアルミニウム製等）の放熱板１３にそれぞれ取り囲まれるように配設され、特に各放熱板１３に形成された装着孔１４（又は装着凹部等）挿入されている。これによりレーザＬＥＤ１０への電圧印加によるレーザ発光の際に発生する熱が、それぞれ放熱板１３を介して外部に放熱されるようになっている。各放熱板１３は基板２０のレーザＬＥＤ１０が実装される表面に接着等の固着手段により固着されてもよいし、固着されないで、後述のケース１２の組立て時に２つのケース体１６，１７により狭持されて位置決めされてもよい。
【００２３】
ここで、レーザＬＥＤ１０のためのいわゆる配線基板が前記基板２０（図７も参照）であり、すべてのレーザＬＥＤ１０が基板２０上に一挙に実装されるとともに、基板２０のプリント配線等により、前述のように各レーザＬＥＤ１０に対して駆動のための配線が接続される。また各放熱板１３は金属製の剛体であるが、それら放熱板１３の隣り合うもの同士は密着することなく、間には隙間ｄが設定されている。そして、レーザヘッド６は、ケース１２がシリコン等の軟質部材で形成されること、基板２０が柔軟性を有すること、及び放熱板１３の隣接隙間ｄが確保されていることにより、図４に示すようにレーザヘッド６の長手方向に沿って湾曲変形可能とされている。
【００２４】
図４に示すように、レーザヘッド６のケース１２は、この例で第１ケース体１６と第２ケース体１７との２分割構造とされ、これらはいずれも上記シリコンゴム又は樹脂等の柔軟材料で形成されている。図５（縦断面図）、図６（横断面図）に示すように、第１ケース体１６には、上記複数の放熱板１３の配置間隔、言い換えれば複数のレーザＬＥＤ１０の配設間隔に対応して一定間隔で前記開口１１が複数個形成されている。一方、第２ケース体１７はこの例で、単純な平面的な矩形板状をなし、基板２０の位置決めのために、その基板２０を嵌め込む基板装着凹部２２が内面に形成され、かつ第１ケース体１６の正面形態に合致する外縁を備える。それら第１及び第２ケース体１６，１７の互いに対向する端面が接着その他の手段により接合・一体化されて、一つの前記ケース１２とされる。
【００２５】
図２、図５等は、ケース１２内に等間隔かつ隣接する隙間ｄを有するように、複数の放熱板１３が配設された状態を示している。各放熱板１３に形成された装着孔１４にはそれぞれレーザＬＥＤ１０が挿入されるとともに、図１５に模式的に示すように、ケーブル３から２分岐した一方のプラス側主配線２４と、他方のマイナス側主配線２５とがそれぞれ取り回される。さらに、プラス側分岐配線２６とマイナス側分岐配線２７とにより各レーザＬＥＤ１０が電気的に並列に接続される。この模式的に示した配線が、基板２０上のプリント配線と各レーザＬＥＤ１０の端子線との接続（例えばハンダ付等）により形成される。
【００２６】
図５、図６等に戻って、第１ケース体１６及び第２ケース体１７の一体化（接合）に先立ち、レーザＬＥＤ１０、基板２０、放熱板１３及び必要な配線が組み込まれた状態で、第１ケース体１６と第２ケース体１７とが接着等により接合されることによって、内部にレーザＬＥＤ１０、基板２０、放熱板１３及び必要な配線２４〜２７が封入された一体的な前記ケース１２となる。
【００２７】
図８〜図１２は別の実施例を示しており、この例では、１枚の長板状の前記基板２０に置換した形態で、互いに分割され、かつ所定の隙間ｄをもって１列に配列された複数の基板２１の群が設けられている。そして、これらの各基板２１に対して、それぞれ１個又は１組のレーザＬＥＤ１０が装着されている。第１及び第２ケース体１６，１７が合体されたケース１２は、前述のとおりシリコンその他の柔軟性を有する樹脂等の材料で形成され、その内部に埋設された基板２１の群は、それらの隣り合う各隙間により、ケース１２の長手方向の弾性的な湾曲変形を許容するようになっている。ここで、各基板２１は柔軟性を有してもよいし、有していなくてもよい。つまり、上述の湾曲変形を許容するのは、各基板２１自身の物性ではなく、ケース１２がその長手方向に湾曲変形するとき、複数の基板２１の群がその湾曲変形に沿った曲面上の位置に変位可能であることによる。従って、各基板２１自体は例えば通常の固い（湾曲変形を予定しない）材質のもので差支えない。
【００２８】
図１１に示すように、第２ケース体１７には各基板２１を等間隔に配置するための基板装着凹部２２が複数形成され、各基板２１は各凹部２２に嵌って位置決めされる。そして、各基板２１にまたがって複数のレーザＬＥＤ１０を接続する柔軟（フレキシブル）な連結配線２３が設けられ、各連結配線２３には「たるみ」が確保されている。図１２に示すように、複数の基板２１の群が湾曲状に位置を変える（変位する）とき、連結配線２３の柔軟性と「たるみ」により、湾曲状の変位が許容ないし容易となるようにされている。連結配線２３に対応する部分には空間を形成することができる。各基板２１には前述の放熱板１３が接着等により一体化され、又はケース体１６，１７に狭持されることにより、基板２１と放熱板１３とが接し又はごく近接配置される。図中では、基板２１と放熱板１３とが同一幅とされているが、放熱板１３の方が幅広でも基板２１の方が幅広でもよい。上述の連結配線２３は、前述の基板２０におけるプリント配線の一部を置換するもので、各基板２１に形成されたプリント配線２８等と連結配線２３とが電気的に接続される。なお、図１２に示すように、基板２１には所定の電子素子、例えばレーザＬＥＤ１０への電流値を規定する抵抗３２等を配することができる。
【００２９】
そして、図１３に示すように、レーザＬＥＤ１０が所定間隔で複数個配列された中尺レーザヘッド６が、この例では２本用意され、また図１４に示すように、これの２倍の長さを有する点以外は同じ構造の前記長尺レーザヘッド５が１本用意される。
【００３０】
以上の２つの実施例のいずれにしても、図１６に示すように、プラス側主配線２４とマイナス側主配線２５とをつなぐ回路上に、すべてのレーザＬＥＤ１０への電力の供給（電圧の印加）を許容するＯＮ状態と、すべてのレーザＬＥＤ１０に対する電力の供給を遮断するＯＦＦ状態とに切替え可能なスイッチ２９と、同じくその回路上に、例えばそのスイッチ２９と直列に、同スイッチ２９がＯＦＦ状態で消灯、同スイッチ２９がＯＮ状態で、かつすべてのレーザＬＥＤ１０に電力が供給される場合にそれに合わせて点灯するパイロットランプ３０等の表示部を設けることができる。このようなスイッチ２９は、例えば図１７に示すようなスライドスイッチ２９として構成することができる。
【００３１】
そして、こうしたスイッチ２９が設けられることにより、前記制御ボックス２に設けられたメインスイッチ又はタッチパネルからのレーザ照射指令がなされた場合でも、そのスイッチ２９が図１７に示すようにＯＦＦにされていれば、そのレーザヘッド６等のレーザＬＥＤ１０が発光することが阻止され、レーザヘッド６等の使用者が不注意でレーザＬＥＤ１０のレーザ光を目に当てるといった不都合が回避される。
【００３２】
図１８は、図１に示した短尺レーザヘッド８を示すものであり、このレーザヘッド８は、上述した中尺レーザヘッド６のレーザＬＥＤ１０を１個に、また放熱板１３も１個にした単一照射構造のもので、人体の所定部位に対してピンポイント的に当てるのに適している。このレーザヘッド８はケース３１を備え、そのケース３１内に中尺レーザヘッド６と同様な放熱板１３、レーザＬＥＤ１０、基板２０（又は２１）及び配線部が封入されている。ケース体３１は、図示はしないが、第１ケース体と第２ケース体が合体したものである。
【００３３】
このような短尺レーザヘッド８のケース３１が、柔軟性を有するシリコンゴム又は樹脂等の湾曲可能な素材から構成される場合は、レーザヘッド８を必要に応じて湾曲させることもでき、他方、レーザヘッド８のケース３１が硬質プラスチック等の柔軟性を有しない素材から成る場合は、湾曲可能にはならない。もっとも、短尺レーザヘッド８の場合は人体の所定部位に局部的に当てるのが普通であるから、柔軟性ひいては湾曲可能とする必要性は本来的にはないか低いと言える。よって、短尺レーザヘッド８の材質は問われないことになる。なお、この短尺レーザヘッド８にも、図１６、図１７に示したようなスイッチ２９及びパイロットランプ３０を付けることも可能であり、そうすればレーザ発光させたくないときは、スイッチ２９をＯＦＦにしておくことができる。
【００３４】
図１９は、図１に示した制御ボックス２が備える電子機器又は要素のブロック図である。制御ボックス２はパワーサプライ（電源回路）４５、制御部の中核をなすＣＰＵ４６、必要なプログラムを格納したＲＯＭ４７、前述した例えば３種類のレーザヘッド５，６，８のレーザＬＥＤ１０に駆動電力（電圧）を供給するチャージボード（レーザ駆動回路）４８、設定入力された条件データ等を一時記憶するＲＡＭ４９、レーザ発光の設定条件等を決定する画面を表示するモニタ５０、そのモニタ５０の画面を利用してレーザ発光等の設定条件を入力する手段としてのタッチパネル５１等を備え、チャージボード４８には複数のチャンネル部５２が接続され、この例ではチャンネルＣ1〜Ｃ4の合計４チャンネル（レーザヘッドのための４つの接続コネクタ）が具備されている。図２０に示すように、それらのチャンネルのうちＣ1には、例えば２個の中尺レーザヘッド６，６に導かれるケーブル３が、Ｃ2には１個の長尺レーザヘッド５に導かれるケーブル４が、さらＣ3には例えば６個の短尺レーザヘッド８に導かれるケーブル７が接続され、またＣ4は予備のチャンネルとされる。なお、チャージボード４８には、レーザＬＥＤ１０への電流値（複数の場合は全電流値）がしきい値を超えた場合に、その通電を一斉に遮断する通電遮断回路が設けられ、例えばレーザＬＥＤ１０が発熱等により通電量（電流値）が上昇した場合、レーザ光の出力も大きくなるが、人体への安全性確保のため、そうした際にレーザＬＥＤ１０に対する通電を遮断することができる。
【００３５】
そして、図１９に示すモニタ５０及びタッチパネル５１を利用して、レーザヘッド５，６，８のレーザＬＥＤ１０から発光されるレーザ光の照射パターンを適宜設定することができる。例えばレーザ光照射のスタートから終了までの１回当りの照射継続時間を例えば５分、１０分、２０分等にするとか、レーザ光の発光が間欠的にＯＮ・ＯＦＦを繰り返す場合は、そのＯＮ・ＯＦＦの周期を長くしたり短くしたりするとか、ＯＮ時間とＯＦＦ時間との比（例えばＯＮ時間／１周期：デューティー比）を大きくしたり小さくしたりするとか、レーザＬＥＤ１０への電圧の高低を選択してレーザ光出力を調整するとか、必要に応じてそのような設定・選択入力をタッチパネル５１により行えば、その設定・選択データがＲＡＭ４９に一時記憶される。ＣＰＵ４６はそのデータを読み出すとともに、ＲＯＭ４７のプログラムを起動して、設定・選択された条件に従い、レーザヘッド５，６，８の任意のもののレーザＬＥＤ１０から、所定の照射パターンで人体の所定部位にレーザ光を照射する。
【００３６】
次に、上記レーザヘッド５，６，８等を用いた使用形態の幾つかの例を図２１〜図３１に基づいて説明する。
【００３７】
図２１、図２２、図２３は、人体の腹部に、長尺レーザヘッド５を腹部胴回りに沿って湾曲させつつ巻き付けるように当てて（例えばレーザ照射を受ける利用者が、両手で長尺レーザヘッド５を湾曲させた状態に保持する等）、一定時間そのレーザヘッド５の複数のレーザＬＥＤ１０から発光されるレーザ光を、腹部Ｂの周方向の相当広い範囲（例えば腹部半周等）において照射する。このレーザ光の照射により、腹部の皮下脂肪が減少して痩身効果が得られることが確認されている。その理由は断定はできないが、レーザ光により皮下脂肪がいわば液化するような現象が生じて、その流動性が高まった脂肪がリンパ線等を通じて体内に排出されるからではないかと推測されている。特に、この長尺レーザヘッド５が湾曲して腹部に接するか、ごく近接し、複数のレーザＬＥＤ１０が腹部にほぼ均等に接近した状態で、１度に広範囲にレーザ照射が行われることから、その照射効率や照射の均等性が向上する。
【００３８】
なお、図２４は、１個の長尺レーザヘッド５に代えて２個の中尺レーザヘッド６を腹部に沿って湾曲させつつ、２個突き合わせるようにして腹部を取り巻きその状態でレーザ照射をする場合を示したものである。
【００３９】
また、図２５〜図２７は、例えば腹部を取り巻くように湾曲させた長尺レーザヘッド５等を、その外側から装着される保持ベルト５６により湾曲状態に保持する例を示している。保持ベルト５６は、図２６に示すように、好適には伸縮性があるベルト伸縮部５７と、所定長さ範囲の圧着ファスナー保持部５８と、そこに固着されたベルト長さ調整のための圧着ファスナー本体部５９と、その圧着ファスナー本体部５９の長手方向の所定部位に、必要なベルト長が得られるように圧着させられる圧着ファスナー着脱部６０とを備え、腹部を外側から締め付ける保持ベルト５６が、ベルト自身と腹部表面との間に、図２５に示す湾曲した長尺レーザヘッド５（又は図２７に示す湾曲した２個の中尺レーザヘッド６）を挟んだ状態で位置固定に保持する。この保持ベルト５６を使用すれば、湾曲させたレーザヘッド５や６を、使用者が手で保持しなくてよいから、容易にレーザ照射が行える。なお、保持ベルト５６は伸縮性がないものでもよい。
【００４０】
図２８は、人体の両足の大腿部に中尺レーザヘッド６をそれぞれ当て（大腿部の長手方向に沿って中尺レーザヘッド６を当てる場合、そのレーザヘッド６を湾曲させる必要はほとんどない）、各レーザヘッド６の上から上述の保持ベルト５６を大腿部に巻き付けて、各レーザヘッド６を保持しつつレーザ照射を行う。また、両側の股間（リンパ線が集まっている部位）に対し、短尺レーザヘッド８をそれぞれ当て、局部的にレーザ照射を行う。この場合、各短尺レーザヘッド８は例えば紙パンツ６１の内側で同パンツ６１により保持することができる。
【００４１】
このように、股間等のリンパ線が集まった部位のレーザ照射を付加することにより、上述のように液化・流動化した脂肪をリンパ線から吸収して体外に排出する効果が高められる。
【００４２】
なお、短尺レーザヘッド８で局部的にレーザ照射する部位の例としては、例えば図２９に示される上述の股間、図３０に示される両側の鎖骨の上部等のリンパ線近傍部、図３１に示される顔の下部分（頬の下部分）等が挙げられる。図３１の例は、顎の線を出すために顎近傍部の脂肪を削減しようとする例である。
【図面の簡単な説明】
【００４３】
【図１】本発明のレーザ痩身装置の一例を示す全体概略図。
【図２】本発明のレーザ痩身装置の本体の一例である中尺レーザヘッドの長さを一部省略した正面図。
【図３】図２の平面図。
【図４】図３から湾曲させた状態を示す一部切欠断面図。
【図５】図３の中尺レーザヘッドの縦断面拡大図。
【図６】図３の中尺レーザヘッドの横断面拡大図。
【図７】図５から基板とレーザＬＥＤを取り出して示す図。
【図８】別の実施例である分割タイプの基板を用いた、図２に対応する正面図。
【図９】図８の平面図。
【図１０】図９から湾曲させた状態を示す一部切欠断面図。
【図１１】図９の中尺レーザヘッドの縦断面拡大図。
【図１２】図１１から基板とレーザＬＥＤを取り出して示す図。
【図１３】２個の中尺レーザヘッドの正面図。
【図１４】１個の長尺レーザヘッドの正面図。
【図１５】中尺レーザヘッド内のレーザＬＥＤへの配線パターンを模式的に示す図。
【図１６】図１５に示す配線パターン（回路中）にスイッチとパイロットランプを付加した例を示す図。
【図１７】図１６のスイッチとパイロットランプとを実体的に、かつＯＮ・ＯＦＦの切替え状態を示す部分斜視図。
【図１８】図１に示す短尺レーザヘッドの斜視図。
【図１９】図１に示す制御ボックスのブロック図。
【図２０】図１９の複数のチャンネルに対するレーザヘッドの接続パターンの一例を模式的に示す図。
【図２１】本発明のレーザ痩身装置の人体への使用方法の一例を示す側面図。
【図２２】図２１に対応する簡略な斜視図。
【図２３】図２１に対応する簡略な平面図。
【図２４】図２３の１個の長尺レーザヘッドを２個の中尺レーザヘッドに変更した例を示す簡略な平面図。
【図２５】保持ベルトにより長尺レーザヘッドを湾曲状態に保持する例を示す斜視図。
【図２６】図２５の保持ベルトを取り出して示す平面図。
【図２７】図２５の１個の長尺レーザヘッドを２個の中尺レーザヘッドで置き換えた例を示す斜視図。
【図２８】中尺レーザヘッドと短尺レーザヘッドとを組み合わせた照射例を示す簡略図。
【図２９】短尺レーザヘッドの使用部位の第１例を示す簡略図。
【図３０】短尺レーザヘッドの使用部位の第２例を示す簡略図。
【図３１】短尺レーザヘッドの使用部位の第３例を示す簡略図。
【符号の説明】
【００４４】
１  レーザ痩身装置
２  制御ボックス
３，４，７  ケーブル
５  長尺レーザヘッド（本体）  
６  中尺レーザヘッド（本体）  
８  短尺レーザヘッド
１０  レーザＬＥＤ
１１  開口
１２  ケース
１３  放熱板
１４  装着孔
１６  第１ケース体
１７  第２ケース体
２０，２１  基板
２３  連結配線
２４  プラス側主配線
２５  マイナス側主配線
２６  プラス側分岐配線
２７  マイナス側分岐配線
５６  保持ベルト
【要約】      （修正有）【課題】装置が大型化せず安価に構成でき、人体の静止状態も強制されず、レーザ光が人体に直接的かつ効率良く照射されるレーザ痩身装置を提供する。【解決手段】柔軟性を有し人体の一部に沿い弾性的に湾曲変形可能な本体６、本体内に前記湾曲変形可能な方向に沿い埋設され、前記本体の湾曲変形を許容するよう湾曲変形可能な柔軟なシート状基板２０、基板内に所定間隔で前記本体及び基板の湾曲変形を許容するよう複数配設され、該配設位置に対応して前記本体に形成された複数の開口１１から又は該本体自体の透光性を有する部位から外方へレーザ発光可能なレーザダイオード１０、該複数のレーザダイオード１０が所定出力のレーザ光を発光するよう該複数のレーザ光に電力を供給する配線を含む。前記本体を必要に応じて人体の一部に密着又はごく近接するように湾曲変形させた状態で、複数の前記レーザダイオードからレーザ光を出力して人体の一部に照射する。【選択図】図４【図１】
0004086254.tif 000002
【図２】
0004086254.tif 000003
【図３】
0004086254.tif 000004
【図４】
0004086254.tif 000005
【図５】
0004086254.tif 000006
【図６】
0004086254.tif 000007
【図７】
0004086254.tif 000008
【図８】
0004086254.tif 000009
【図９】
0004086254.tif 000010
【図１０】
0004086254.tif 000011
【図１１】
0004086254.tif 000012
【図１２】
0004086254.tif 000013
【図１３】
0004086254.tif 000014
【図１４】
0004086254.tif 000015
【図１５】
0004086254.tif 000016
【図１６】
0004086254.tif 000017
【図１７】
0004086254.tif 000018
【図１８】
0004086254.tif 000019
【図１９】
0004086254.tif 000020
【図２０】
0004086254.tif 000021
【図２１】
0004086254.tif 000022
【図２２】
0004086254.tif 000023
【図２３】
0004086254.tif 000024
【図２４】
0004086254.tif 000025
【図２５】
0004086254.tif 000026
【図２６】
0004086254.tif 000027
【図２７】
0004086254.tif 000028
【図２８】
0004086254.tif 000029
【図２９】
0004086254.tif 000030
【図３０】
0004086254.tif 000031
【図３１】
0004086254.tif 000032